(57)【要約】      （修正有）【課題】建築物の壁等に設けられる断熱材の厚さを測定するための測定ピンを提供する。【解決手段】対象面に施工した断熱材の厚さを計測するためのものであって、鋭利な先端１５ａを有し、中心線Ｃに沿って延びる支持部１１と、支持部１１の頭部に設けられた押圧部１２とを備えた測定ピン１０。測定ピン１０を支持部１１の中心線Ｃが対象面に対して垂直となるように刺したとき、支持部１１の先端１５ａが円線状に当接する。【選択図】図１
2020143965.tif 000002
【特許請求の範囲】
【請求項１】
対象面に施工した断熱材の厚さを計測するための測定ピンであって、
中心線に沿って延びる支持部と、
前記支持部の頭部に設けられた押圧部とを備え、
前記支持部が前記中心線と平行な３本以上の脚部を含む、
測定ピン。
【請求項２】
対象面に施工した断熱材の厚さを計測するための測定ピンであって、
中心線に沿って延びる支持部と、
前記支持部の頭部に設けられた押圧部とを備え、
前記支持部が前記中心線と平行な２枚のプレートを含む、
測定ピン。
【請求項３】
対象面に施工した断熱材の厚さを計測するための測定ピンであって、
中心線に沿って延びる支持部と、
前記支持部の頭部に設けられた押圧部とを備え、
前記支持部は筒体である、
測定ピン。
【請求項４】
対象面に施工した断熱材の厚さを計測するための測定ピンであって、
中心線に沿って延びる支持部と、
前記支持部の頭部に設けられた押圧部とを備え、
前記支持部が前記中心線と平行な２本の脚部を含み、
前記少なくとも１本の脚部が前記中心線と平行なプレートを含む、
測定ピン。
【請求項５】
対象面に施工した断熱材の厚さを計測するための測定ピンであって、
中心線に沿って延びる支持部と、
前記支持部の頭部に設けられた押圧部とを備え、
前記支持部が前記中心線と平行な断面が湾曲している湾曲プレートを含む、
測定ピン。
【発明の詳細な説明】
【技術分野】
【０００１】
本発明は、吹付け工法等によって建築物の壁等の対象面に施工される断熱材の厚さを測定するための測定ピンに関する。
【背景技術】
【０００２】
建築物の壁等に断熱材を設ける方法として、現場で作業者が発泡機を用いて、建築物の壁部、床部、屋根部や天井部等の対象面に、主原料に発泡材を加えた発泡原液を直接吹き付けて、発泡固化させる方法が知られている。このような断熱材は、その厚さによって断熱効果が大きく左右されるため、均等な厚さにすることが求められている。特に、ビルや集合住宅等では、均一な品質の提供が求められており、厚さの誤差が０〜２０ｍｍ、厳しいもので０〜５ｍｍでの施工が求められている。そのため、対象面に発泡材を吹き付けて発泡固化させた後、その厚さを確認し、厚すぎる部位については余剰分を切削し、薄すぎる部位については追加する仕上げ処理を必要とする。詳しくは、施工現場において、吹き付け作業をしながら、発泡固化した断熱材の各所に針状の測定ゲージを刺し、その厚さを計測し、各所に仕上げ処理が必要かを確認しながら行っている。
【０００３】
特許文献１には、ウレタン断熱工事の施工に用いるウレタン厚さ表示ピンであって、鋲の裏面が湾曲凹状に形成されているものが開示されている。これにより表示ピンをウレタン断熱層に差し込んだとき、鋲の湾曲凹状の裏面に、断熱層の表面が隙間なく入り込み、正確に取り付けることができる。
特許文献２には、現場発泡ウレタンを吹き付けてなる断熱層の厚さを確認するために、断熱層に差し込んで使用するウレタン厚さ確認ピンであって、ピン先端を非鋭利に形成したものが開示されている。これにより、透湿防水シートや、ダンボールを主材とする通気層確保用部材などの軟質な材料に設けた断熱層の厚さを、その軟質材料を傷つけることなく確認することがきる。
【先行技術文献】
【特許文献】
【０００４】
【特許文献１】実用新案登録第３０７３５３４号公報
【特許文献２】特開２０１６−１９７０７３号公報
【発明の概要】
【発明が解決しようとする課題】
【０００５】
しかし、特許文献１も特許文献２も、１本のピンを断熱材に差し込むことになるため、ピンを断熱材に差し込んだ際、正確にピンが対象面に対して垂直に差し込めたか使用者は判断できない。よって、傾いて差し込んでしまった場合、正確な厚さを測定することができない。
本発明は、建築物の壁等に設けられる断熱材の厚さを測定するための測定ピンを提供することを目的としている。
【課題を解決するための手段】
【０００６】
本発明の測定ピンは、対象面に施工した断熱材の厚さを計測するため測定ピンであって、中心線に沿って延びる支持部と、前記支持部の頭部に設けられた押圧部とを備え、前記支持部が前記中心線と平行な３本以上の脚部を含むことを特徴としている。
本発明の測定ピンは、支持部が脚部を３本有しているため、測定ピンを断熱材に差し込んだとき、支持部は対象面と、少なくとも一直線にない３点で当接することになり、作業者は測定ピンが対象面に対して垂直に差し込めたことを容易に認識できる。
【０００７】
本発明の測定ピンの第２の態様は、対象面に施工した断熱材の厚さを計測するため測定ピンであって、中心線に沿って延びる支持部と、前記支持部の頭部に設けられた押圧部とを備え、前記支持部が前記中心線と平行な２枚のプレートを含むことを特徴としている。ここで「２枚のプレート」は、一平面上にある２枚のプレートを除いたものをいう。
本発明の測定ピンの第２の態様は、支持部が２枚のプレートを有しているため、測定ピンを断熱材に差し込んだとき、支持部と対象面とは一直線上にない２本の線で当接することになり、作業者は測定ピンが対象面に対して垂直に差し込めたことを容易に認識できる。
【０００８】
本発明の測定ピンの第３の態様は、対象面に施工した断熱材の厚さを計測するため測定ピンであって、中心線に沿って延びる支持部と、前記支持部の頭部に設けられた押圧部とを備え、前記支持部は筒体であることを特徴としている。
本発明の測定ピンの第３の態様は、支持部が筒体であるため、測定ピンを断熱材に差し込んだとき、支持部と対象面とは環状の線で当接することになり、作業者は測定ピンが対象面に対して垂直に差し込めたことを容易に認識できる。
【０００９】
本発明の測定ピンの第４の態様は、対象面に施工した断熱材の厚さを計測するための測定ピンであって、中心線に沿って延びる支持部と、前記支持部の頭部に設けられた押圧部とを備え、前記支持部が前記中心線と平行な２本の脚部を含み、前記少なくとも１本の脚部が前記中心線と平行なプレートを含むことを特徴としている。
本発明の測定ピンの第４の態様は、支持部が２本の脚部を有しており、少なくとも一方の脚部がプレートであるため、測定ピンを断熱材に差し込んだとき、支持部と対象面とは少なくとも１本の線と、その線状にない点とで当接することになり、作業者は測定ピンが対象面に対して垂直に差し込めたことを容易に認識できる。
【００１０】
本発明の測定ピンの第５の態様は、対象面に施工した断熱材の厚さを計測するための測定ピンであって、中心線に沿って延びる支持部と、前記支持部の頭部に設けられた押圧部とを備え、前記支持部が前記中心線と平行な断面が湾曲している湾曲プレートを含んでいることを特徴としている。
本発明の測定ピンの第５の態様は、支持部が湾曲プレートを有しているため、測定ピンを断熱材に差し込んだとき、支持部と対象面とは湾曲線で当接することになり、作業者は測定ピンが対象面に対して垂直に差し込めたことを容易に認識できる。
【発明の効果】
【００１１】
本発明の測定ピンは、支持部の先端と対象面とを当接させることにより、支持部の中心線が対象面に対して垂直になるため、押圧部は対象面に対して所定の距離に位置する。そのため、押圧部に応じて断熱材の厚さを正確に判断することができる。つまり、本発明の測定ピンは、施工した断熱材の厚さを簡単に、かつ、正確に計測することができる。
また本出願人は、対象面に施工した断熱材の厚さを計測する方法であって、断熱材上に対象面から所定の距離だけ離れた基準マーカーを設置する工程と、断熱材および基準マーカーの表面の三次元形状を含む施工形状を取得する工程と、取得した基準マーカーの表面の三次元形状に基づいて仮想平面を算出する工程と、断熱材の表面の三次元形状とその仮想平面に基づいて断熱材の厚さを算出する工程とを有する被覆材の厚さ計測方法（以下、計測方法１）を提案している。この計測方法１は、１または複数（好ましくは３個以上）の基準マーカーから対象面から所定の距離に位置する３点以上の基準三次元座標を施工形状から取得し、これらの複数の基準三次元座標を含む対象面と平行な仮想平面を算出し、仮想平面に対する断熱材の表面の各距離を計算することにより、断熱材全体の厚さを算出する方法である。この計測方法１は、断熱材を対象面に施工した後、１回の計測で、断熱材全体の厚さを計ることができる。本発明の測定ピンは、この計測方法１に好ましく使用できる。つまり、本発明の測定ピンの押圧部は、正確に対象面から所定の距離にあるため、この押圧部を計測方法１の基準マーカーとすることにより、対象面から所定の距離の仮想平面が正確に算出できる。
【図面の簡単な説明】
【００１２】
【図１】図１ａは本発明の測定ピンの第１の実施形態を示す斜視図であり、図１ｂ、図１ｃはそれぞれ図１ａのＡ１−Ａ１線断面図、Ａ２−Ａ２線断面図である。
【図２】図２ａは本発明の測定ピンの第２の実施形態を示す斜視図であり、図２ｂ、図２ｃはそれぞれ図２ａのＢ１−Ｂ１線断面図、Ｂ２−Ｂ２線断面図であり、図２ｄは本発明の測定ピンの第３の実施形態を示す斜視図である。
【図３】図３ａは本発明の測定ピンの第４の実施形態を示す斜視図であり、図３ｂ、図３ｃはそれぞれ図３ａのＤ１−Ｄ１線断面図、Ｄ２−Ｄ２線断面図である。
【図４】図４ａは本発明の測定ピンの第５の実施形態を示す斜視図であり、図４ｂは図４ａのＥ−Ｅ線断面図である。
【図５】図５ａ、図５ｂ、図５ｃ、図５ｄは、それぞれ本発明の測定ピンの第６、第７、第８、第９の実施形態を示す斜視図である。
【発明を実施するための形態】
【００１３】
初めに、本発明の測定ピンによって測定する断熱材について説明する。断熱材としては、軟質または硬質ウレタンフォーム、ロックウール、セルロースファイバー等が挙げられる。特に、吹き付け工法によって施工される現場発泡型の硬質ウレタンフォーム（例えばＪＩＳＡ９５２６に規定される硬質ウレタンフォーム）が好ましい。オクチル酸カリウムやオクチル酸鉛を用いた反応速度の速い吹付ウレタンフォームは、施工面に吹き付けた発泡原液が、発泡倍率２０倍〜１２０倍程度に不規則に膨張するため、熟練者であっても均一な厚さ（１０〜２００ｍｍ程度）に施工するのが難しいうえ、施工厚さが断熱性能に直接影響するからである。
【００１４】
施工方法については、吹き付け（スプレー）または塗布が挙げられる。特に、吹き付けで施工する被覆材は、施工後の厚さが塗布に比べて均一な厚さにすることが難しいため、本発明の測定ピンに適している。
【００１５】
次に、測定ピンの実施形態について説明する。
図１ａの測定ピン１０は、対象面に施工した被覆材の厚さを計測するためのものであって、一方向に延びる支持部１１と、支持部１１の頭部に設けられた押圧部１２とを備えている。
【００１６】
支持部１１は、図１ｂ、図１ｃに示すように、中心線Ｃを軸とした円筒体である。支持部１１は、一端（頭部側）に押圧部１２を備え、他端（先端側）に断熱材に挿入する先端部１５を有する。そして、先端部１５は、先端１５ａに向かって薄くなるように形成されている。そして、先端部１５の先端１５ａは環状の円となっている。
【００１７】
押圧部１２は、円板状のプレートである。押圧部１２の裏面の縁には、先端に向かって筒状の縁部１２ａが形成されている。このように縁部１２ａを設けることにより、支持部１１を断熱材に挿入していき、押圧部１２が断熱材に到達したとき、押圧部１２も真っ直ぐ挿入することができる。また押圧部１２の表面には、後述する測定ピンの長さを表示してもよい。
【００１８】
測定ピン１０は、先端部１５の先端１５ａから押圧部１２までが所定の距離Ｌ（測定ピン１０の長さ）となるように構成されている。それにより、測定ピン１０を断熱材に差し込んで先端１５ａの全体を対象面と当接させたとき、先端１５ａと対象面とは円状に接触し、中心線Ｃが対象面と垂直となり、押圧部１２が対象面から所定の距離Ｌとなり、その押圧部１２の位置によって断熱材の厚さがわかる。なお、測定ピン１０の長さとしては、断熱材によって異なるが、例えば、１０ｍｍ〜２００ｍｍの範囲である。
測定ピン１０の材質は、特に限定されるものではないが、ポリエチレン、ポリプロピレン、ＡＢＳ等の合成樹脂又はスチール、ステンレス等の金属が挙げられる。
【００１９】
このように構成されているため、測定ピン１０を断熱材に取り付けるとき、先端部１５を施工されている断熱材に対して刺し込み、先端部１５の環状の先端１５ａの全体が対象面と当接するように支持部１１の刺し込み角度を調整することにより、支持部１１の中心線が対象面に対して垂直となる。つまり、先端部１５の先端１５ａの少なくとも一直線上にない３点が対象面と当接することになり、支持部１１の中心線Ｃが対象面に対して垂直となる。これにより、押圧部１２は対象面に対して所定の長さとなり、この押圧部１２と断熱材との間の距離を測ることにより、断熱材の厚さを測定することができる。特に、断熱材が所定の距離である押圧部１２より厚いか、薄いかを正確に判断することができる。
また押圧部１２も、対象面に対して平行になるため、断熱材の表面が押圧部１２と平行であるかを確認することにより、断熱材が均一に設けられているかを確認できる。
【００２０】
また、対象面に施工した断熱材の厚さを計測する方法であって、断熱材上に対象面から所定の距離だけ離れた基準マーカーを設置する工程と、断熱材および基準マーカーの表面の三次元形状を含む施工形状を取得する工程と、取得した基準マーカーの表面の三次元形状に基づいて仮想平面を算出する工程と、断熱材の表面の三次元形状とその仮想平面に基づいて断熱材の厚さを算出する工程とを有する断熱材の厚さ計測方法（計測方法１）に、測定ピン１０は好ましく使用できる。つまり、測定ピン１０の押圧部１２は、対象面から正確に所定の距離に位置し、かつ、押圧部１２は対象面に対して平行であるため、断熱材に取り付けた測定ピン１０の押圧部１２を計測方法１の基準マーカーとすることができる。
【００２１】
なお、施工形状を取得する工程は、断熱材および基準マーカーの表面を三次元計測装置で測定することによって行う。三次元計測装置としては、例えば、三次元スキャナーやステレオカメラ等が挙げられる。
取得した基準マーカーの表面の三次元形状に基づいて仮想平面を算出する工程は、基準マーカー（押圧部１２）上の点を少なくとも３点の基準三次元座標を施工形状内に設定し、その３点の基準三次元座標を含む平面を求めて、対象面から所定の距離に位置する仮想平面を算出する。なお、３つの測定ピン１０を断熱材上に設け、各測定ピン１０の押圧部１２に基準三次元座標を設定し、仮想平面を求めるのが好ましい。
断熱材の表面の三次元形状とその仮想平面に基づいて断熱材の厚さを算出する工程は、仮想平面に対する断熱材の表面の各距離を計算することにより、断熱材全体の厚さを算出することができる。
この計測方法１は、断熱材を対象面に施工した後、１回の計測で、断熱材全体の厚さを計ることができる。そのため、施工不良箇所を見つけることも簡単にできる。つまり、断熱材の吹き付け、および、施工不良箇所への仕上げ処理を含む断熱材の施工が容易になる。
【００２２】
測定ピン１０では、円筒状の支持部１１を挙げたが、筒体であれば断面形状は特に限定されず、例えば、断面が三角形や四角形等の多角形や楕円等の筒体であってもよい。
測定ピン１０の押圧部は断熱材と区別しやすい色であってもよい。例えば赤、青又は緑色が好ましい。計測方法１において、三次元計測装置で取得した画像から画像処理で基準マーカー（押圧部）を抽出しやすくなるからである。
【００２３】
次に他の実施形態を示す。
図２ａの測定ピン２０は、一方向に延びる支持部２１と、その支持部の頭部に設けられた押圧部２２とを備えている。
支持部２１は、図２ｂ、図２ｃに示すように、中心線Ｃに沿って延びる脚部２５を２本備えている。そして、２本の脚部２５の一端（頭部側）に押圧部２２を備え、他端（先端側）に先端部２６を有する。
脚部２５は、支持部２１の中心線と平行な３枚のプレート２５ａを断面コ字状に連結したものである。脚部２５の先端部２６は、図１の測定ピン１０の先端部１５と同様に、先端に向かって薄くなるように形成され、先端２６ａが鋭利（図１の先端１５ａと同様の厚さ）となっている。先端２６ａはコ字状に対象面と当接する。２本の脚部２５は、同じ高さとなっている。
押圧部２２は、正方形状のプレートであること以外は、図１の測定ピン１０の押圧部１２と実質的に同じであり、裏面に縁部２２ａが形成されている。なお、押圧部２２の対向する辺の中心から先端に向かって脚部２５が設けられている。
【００２４】
このように構成されているため、測定ピン２０を断熱材に刺し込み、２本の脚部２５の先端２６ａを対象面と同時に当接させることにより、図１の測定ピン１０と同様に、支持部２１の中心線Ｃが対象面に対して垂直となり、測定ピン２０の押圧部２２は対象面から所定の距離Ｌに位置することになる。なお、脚部２５自体が中心線と平行で同一平面にない少なくとも２枚のプレート２５ａを有しており、脚部２５と対象面とはコ字状に当接（少なくとも一直線上にない３点で当接）するため、１本の脚部２５の先端の全部が対象面と当接すると、他の脚部２５も同時に対象面と当接し、使用者は測定ピン２０が対象面に対して垂直であることがわかりやすい。つまり、操作性が高くなる。また測定ピン２０も計測方法１に好ましく用いられる。
なお、図２ｄの測定ピン２０ａのように、脚部２５がそれぞれ一枚のプレート２５ａからなり、脚部２５が押圧部２２を挟むように相対して設けられてもよく、図２ａの測定ピン２０において、３枚のプレート２５ａからなる脚部２５を１本だけとしてもよい。
【００２５】
図３ａの測定ピン３０は、一方向に延びる支持部３１と、その支持部３１の頭部に設けられた押圧部３２とを備えている。
支持部３１は、図３ｂ、図３ｃに示すように、中心線Ｃに沿って延びる脚部３５を３本備えている。脚部３５は、断面Ｖ字状に中心線Ｃと平行な２枚のプレート３５ａを連結させた同じ高さのものである。そして、３本の脚部３５の一端（頭部側）に押圧部３２を備え、他端（先端側）に先端部３６を有する。先端部３６は、図１の測定ピン１０の先端部１５と同様に、先端に向かって薄くなるように形成され、先端３６ａが鋭利（図１の先端１５ａと同様の厚さ）となっている。先端３６ａはＶ字状に対象面と当接する。
押圧部３２は、正三角形状のプレートであること以外は、図１の測定ピン１０の押圧部１２と実質的に同じであり、裏面に縁部３２ａが形成されている。そして、押圧部３２の３つの角から先端に向かって脚部３５が設けられている。
【００２６】
このように構成されているため、測定ピン３０を断熱材に刺し込み、３本の脚部３５の先端３６ａを同時に対象面と当接させることにより、図１の測定ピン１０と同様に、支持部３１の中心線Ｃが対象面と垂直になり、押圧部３２を対象面から所定の距離に位置させることができる。なお、脚部３５と対象面とはＶ字状に当接（少なくとも一直線上にない３点で当接）するため、図２の測定ピン２０と同様に、１本の脚部３５の先端全体が対象面と当接すると、他の２本の脚部も同時に対象面と当接する。そのため、支持部３１が適切に対象面と当接したことを感知でき、図２の測定ピン２０より一層操作性が良い。また、測定ピン３０も計測方法１に好ましく用いられる。
【００２７】
図４の測定ピン４０は、一方向に延びる支持部４１と、その支持部の頭部に設けられた押圧部４２とを備えている。
支持部４１は、断面Ｖ字状に２枚のプレートを連結させた脚部４５を４本備えている。そして、４本の脚部４５の一端（頭部側）に押圧部４２を備え、他端（先端側）に先端部４６を有する。先端部４６は、図１の測定ピン１０の先端部１５と同様に、先端に向かって薄くなるように形成され、先端４６ａが鋭利（図１の先端１５ａと同じ厚さ）となっている。そして、脚部４５の先端部４６の先端４６ａはＶ字状になっている。
押圧部４２は、図２の測定ピン２０の押圧部２２と実質的に同じものである。そして、押圧部４２の４つの角から先端に向かって脚部４５が設けられている。
【００２８】
このように構成されているため、４本の脚部４５の先端を同時に対象面と当接させることにより、図１の測定ピン１０と同様に、押圧部４２が対象面から所定の距離Ｌに位置することになる。そして、図２の測定ピン２０と同様に、脚部４５と対象面とはＶ字状に当接（少なくとも一直線上にない３点で当接）するため、１本の脚部４５の先端４６ａの全体が対象面と当接すると、他の３本の脚部４５も同時に対象面と当接し、操作性が一層高い。また、測定ピン４０も計測方法１に好ましく用いられる。
【００２９】
図５ａの測定ピン５０は、一方向に延びる支持部５１と、その支持部の頭部に設けられた押圧部５２と備えている。
支持部５１は、中心線と平行な３本のロッド状の脚部５５を備えている。脚部５５の先端５５ａは鋭利になっている。また、脚部５５は、先端５５ａに向かって細くなるように形成されている。つまり、この脚部５５は、対象面と実質的に点で当接する。
押圧部５２は、球体である。また押圧部５２を水平に切断した円の外周から同一間隔で３本の脚部５５が先端に向かって設けられている。しかし、脚部５５が設けられている部位は、３本の脚部５５の先端５５ａからなる平面が脚部５５に対して垂直であれば、特に限定されない。その場合、脚部５５の高さも押圧部５２の位置に応じて適宜設定される。
【００３０】
このように構成されているため、この測定ピン５０を断熱材に差し込み、支持部５１の３本の脚部５５の先端５５ａを対象面と同時に当接させることにより、つまり、少なくとも一直線上にない３点（３本の脚部５５の先端５５ａ）を対象面と当時に当接させることにより、支持部５１の中心線が対象面と垂直となり、測定ピン５０の押圧部５２を対象面から所定の距離に位置させることができる。
なお、測定ピン５０は、押圧部５２が球状であるが、計測方法１にも適している。つまり、複数の測定ピン５０を断熱材に設け、それぞれの押圧部５２の頂点を計測方法１の基準マーカーとし、複数の測定ピン５０の押圧部５２の頂点を結合することによって仮想平面を算出できる。
また支持部に脚部を用いた測定ピンの他の実施形態として、図５ｂのような測定ピン６０が挙げられる。この測定ピン６０は、３本の脚部６５からなる支持部６１と、正方形状のプレートからなる押圧部６２とを備えており、図５ａの測定ピン５０と同様の効果を奏する。
【００３１】
図５ｃの測定ピン７０は、支持部７１が２本の脚部７５ａ、７５ｂからなっており、脚部７５ａは支持部７１の中心線と平行で断面矩形のロッドであり、脚部７５ｂが支持部７１の中心線と平行なプレートである。脚部７５ａは、先端に向かって細くなるように形成されており、対象面と実質的に点で当接する。脚部７５ｂも、先端に向かって薄くなるように形成されており、対象面と実質的に線で当接する。
図５ｄの測定ピン８０は、支持部７１が断面半円状の湾曲板（脚部）８５からなっている。この脚部８５も先端に向かって薄くなるように形成されており、対象面と湾曲線状に当接する。
これらの場合も、これまでの実施形態と同様に、支持部の先端を対象面と当接させることにより、支持部の中心線を対象面と垂直にし、押圧部を対象面から所定の距離に位置させることができる。そして、計測方法１にも好ましく用いられる。
【００３２】
なお、それぞれの実施形態において、押圧部の形状について特定しているが、それぞれ形状は特に限定されない、いずれにおいても三角形や四角形等の多角形や楕円等の板であってもよく、球状や半球状のものであってもよい。
【符号の説明】
【００３３】
１０      測定ピン
１１      支持部
１２      押圧部
１２ａ    縁部
１５      先端部
１５ａ    先端
２０      測定ピン
２０ａ    測定ピン
２１      支持部
２１ａ    脚部
２２      押圧部
２２ａ    縁部
２５      脚部
２５ａ    プレート
２６      先端部
２６ａ    先端
３０      測定ピン
３１      支持部
３２      押圧部
３２ａ    縁部
３５      脚部
３５ａ    プレート
３６      先端部
３６ａ    先端
４０      測定ピン
４１      支持部
４２      押圧部
４５      脚部
４５ａ    プレート
４６      先端部
４６ａ    先端
５０      測定ピン
５１      支持部
５２      押圧部
５５      脚部
５５ａ    先端
６０      測定ピン
６１      支持部
６２      押圧部
６５      脚部
７０      測定ピン
７１      支持部
７５      脚部
８０      測定ピン
８１      支持部
８５      脚部
【図１】
2020143965.tif 000003
【図２】
2020143965.tif 000004
【図３】
2020143965.tif 000005
【図４】
2020143965.tif 000006
【図５】
2020143965.tif 000007